(57)【特許請求の範囲】
【請求項１】
可撓性の突起部がローラ面に放射状に複数設けられた舌片ローラを備え、放出口から放出される紙葉類の後端を回転中の上記舌片ローラの突起部が集積位置方向へ叩く紙葉類集積機構において、
紙葉類の後端を規制する規制部材を有する集積部を具備し、
弾性部材で形成され、一端部側は固定され、他端部側は自由端となった状態で上記放出口を覆うように上記規制部材に沿って配設された紙葉類抑えを設け、
上記放出口から紙葉類が放出されると紙葉類に押圧されて紙葉類抑えの上記他端部側が上記放出口から離れる方向に撓み、紙葉類の後端が上記放出口を抜けると紙葉類抑えの撓みの復元力により紙葉類の後端を下方向へ押圧することを特徴とする紙葉類集積機構。
【発明の詳細な説明】
【０００１】
【発明の属する技術分野】
本発明は、紙葉類を集積する紙葉類集積機構に関する。
【０００２】
【従来の技術】
従来、金融機関等で使用されている紙葉類集積機構の構成について説明する。図７は従来例の紙葉類集積機構の一部を示す正面図、図８は図７のＡ−Ａ断面矢視図である。なお、図８において舌片ローラの舌片は１個の舌片ローラにつき２枚のみ記載し、他の舌片は省略してある。
【０００３】
図７、図８において、紙葉類集積機構１には、紙葉類１１を放出口１６まで案内する紙葉類ガイド２と紙葉類ガイド３とが対向した状態で設けられている。紙葉類集積機構１にはまた紙葉類ガイド２、３に案内されてきた紙葉類１１を後述する集積部へと放出するための舌片ローラ４と、搬送プーリー５と、ローラ６とが設けられている。舌片ローラ４と搬送プーリー５はそれぞれ、紙葉類放出方向に直交する方向に設けられた回転軸７に取り付けられていて、図示せぬ駆動力により回転する回転軸７の回転により回転する。なお、舌片ローラ４には放射状に複数の、可撓性の舌片８が設けられている。
【０００４】
そしてこの舌片ローラ４は紙葉類１１の中央部及び両端部を叩くように所定の間隔を空けて回転軸７に４個取り付けられており、また搬送プーリー５は回転軸７の長手方向の両端部の２個の舌片ローラ２４と中央部の２個の舌片ローラ４の間にそれぞれ位置するように回転軸７に２個取り付けられている。そして搬送プーリー５の中心部には高摩擦部材（例えばゴム）によって形成されたリング９がはめ込まれている。また図８に示すように紙葉類ガイド２、３にはそれぞれ舌片ローラ４の舌片８が通過するための切り欠き部２ａ、３ａが形成されている。なお、紙葉類１１がローラ６に当接した場合でも放出口１６方向に向かうように、紙葉類ガイド３側の切り欠き部３ａは、放出口１６の近くに形成されているのみである。
【０００５】
ローラ６はリング９と噛み合うように、軸１０に２個回転自在に取り付けられており、図示せぬ板バネ等によりリング９側に付勢力が与えられている。そして回転軸７の回転により、リング９とローラ６は、挟持した紙葉類１１を後述する集積部に放出口１６から放出する。また舌片ローラ４の舌片８は集積部に放出される紙葉類１１の後端を下方（矢印Ｃ方向）に叩き、更に後述するステージ上に集積された紙葉類１１の後端を抑える。
【０００６】
集積部は紙葉類１１を積載するステージ１２と、紙葉類１１の前後方向の移動を規制する規制部材１３、１４とから構成されている。なお、ステージ１２は矢印Ｃ−Ｄ方向に移動自在に設けられており、紙葉類１１を集積する毎に徐々に矢印Ｃ方向に移動し、紙葉類１１を集積するために必要な空間を作るように構成されている。また規制部材１３には舌片ローラ４の舌片８が通過するための切り欠き部１３ａ、１３ｂが形成されている。
【０００７】
次に上記構成における紙葉類集積機構１の動作について説明する。
【０００８】
紙葉類１１が紙葉類ガイド２と、紙葉類ガイド３とに案内されて舌片ローラ４と、搬送プーリー５と、ローラ６まで搬送されてくるとき、回転軸７の回転により、舌片ローラ４と搬送プーリー５は図８に示す矢印Ｂ方向に回転している。そして紙葉類１１がリング９とローラ６とが対向した位置まで搬送されてくると、リング９とローラ６は挟持した紙葉類１１を集積部１５に放出すると共に、舌片ローラ４の舌片８が、集積部１５に放出される紙葉類１１の後端を下方（矢印Ｃ方向）に叩き、更にステージ１２上に集積された紙葉類１１の後端を抑える。これにより集積部１５に放出される紙葉類１１の後端と次に搬送されてくる紙葉類１１の先端とが当接することによって発生する紙葉類１１のジャムを防止している。
【０００９】
【発明が解決しようとする課題】
上記従来の紙葉類集積機構においては、舌片ローラ４の舌片８は、集積部１５に放出される紙葉類１１の後端を叩き、更にステージ１２上に集積された紙葉類１１の後端を抑えるために、十分な長さを必要とする。また舌片８は常に放射状に伸びた状態でなければ紙葉類１１の後端を叩く際に不具合を生じてしまう。しかしながら実際には放射状に伸びた舌片８が回転する際に、舌片８が他のどの部品にも当接しないように舌片８及び他の部品を実装するのは困難であった。
【００１０】
以下図８に示すように舌片８が紙葉類ガイド３に当接し、当接した部分が放射状に伸びずに撓んでしまった場合の不具合について述べる。図９に示すようにリング９とローラ６との間に紙葉類１１を挟持した際、舌片ローラ４の舌片８は紙葉類１１の下面に押圧され、撓んだ状態となる。このままリング９とローラ６とが回転して図１０に示すように紙葉類１１の後端部がリング９とローラ６との挟持から離れたときに、舌片ローラ４の舌片８が放射状に伸びようとしても、先端部が紙葉類ガイド３に当接して伸びることを妨げられてしまう。そのため、舌片８は本来紙葉類１１の後端を下方（ステージ１２に集積する方向）に叩くはずであるにもかかわらず、放出口１６から放出される紙葉類１１の後端をそのまま直進する方向（矢印Ｆ方向）に押してしまう場合があった。このような場合紙葉類１１の後端は叩かれないので、集積部１５に放出される紙葉類１１の後端は次に搬送されてくる紙葉類１１の先端に当接してしまう場合があり、そのような場合には紙葉類１１のジャムが発生し、これにより集積不良が発生してしまうという問題点があった。
【００１１】
【課題を解決するための手段】
上記課題を解決するために本発明で設けた解決手段は、可撓性の突起部がローラ面に放射状に複数設けられた舌片ローラを備え、放出口から放出される紙葉類の後端を回転中の上記舌片ローラの突起部が集積位置方向へ叩く紙葉類集積機構において、紙葉類の後端を規制する規制部材を有する集積部を具備し、弾性部材で形成され、一端部側は固定され、他端部側は自由端となった状態で上記放出口を覆うように上記規制部材に沿って配設された紙葉類抑えを設け、上記放出口から紙葉類が放出されると紙葉類に押圧されて紙葉類抑えの上記他端部側が上記放出口から離れる方向に撓み、紙葉類の後端が上記放出口を抜けると紙葉類抑えの撓みの復元力により紙葉類の後端を下方向へ押圧することを特徴とする。
【００１２】
上記構成によれば、舌片ローラの突起部が、放出口から放出される紙葉類の後端を叩くことができなくても、紙葉類により押圧されて撓んだ紙葉類抑えが元の状態に戻りながら、放出口から放出される紙葉類の後端を集積位置に向かう方向へと押圧するので、紙葉類は集積位置へと向かい、該紙葉類の後端が次に搬送されてくる紙葉類の先端に当接してしまうことはない。
【００１３】
【発明の実施の形態】
以下、本発明の実施の形態を図面に従って説明する。なお各図面に共通する要素には同一の符号を付す。
【００１４】
第１の実施の形態
図１は第１の実施の形態の紙葉類集積機構の一部を示す正面図、図２は図１のＥ−Ｅ断面矢視図、図３は第１の実施の形態の紙葉類集積機構の一部を示す正面図である。なお、図１、図３において舌片ローラの舌片は１個の舌片ローラにつき２枚のみ記載し、他の舌片は省略してある。また図３は図１に示す紙葉類集積機構から上下の紙葉類ガイドを省略したものである。
【００１５】
図１、図２、図３において、紙葉類集積機構２０には、紙葉類３１を放出口３６まで案内する紙葉類ガイド２２と紙葉類ガイド２３とが対向した状態で設けられている。紙葉類集積機構２０にはまた紙葉類ガイド２２、２３に案内されてきた紙葉類３１を後述する集積部へと放出するための舌片ローラ２４と、搬送プーリー２５と、ローラ２６とが設けられている。舌片ローラ２４と搬送プーリー２５はそれぞれ、紙葉類放出方向に直交する方向に設けられた回転軸２７に取り付けられていて、図示せぬ駆動力により回転する回転軸２７の回転により回転する。なお、舌片ローラ２４には放射状に複数の、可撓性の突起部である舌片２８が設けられている。
【００１６】
そしてこの舌片ローラ２４は紙葉類３１の中央部及び両端部を叩くように所定の間隔を空けて回転軸２７に４個取り付けられており、また搬送プーリー２５は回転軸２７の長手方向の両端部の２個の舌片ローラ２４と中央部の２個の舌片ローラ２４の間にそれぞれ位置するように回転軸２７に２個取り付けられている。そして搬送プーリー２５の中心部には高摩擦部材（例えばゴム）によって形成されたリング２９がはめ込まれている。また紙葉類ガイド２２、２３にはそれぞれ舌片ローラ２４の舌片２８が通過するための切り欠き部２２ａ、２３ａが形成されている。なお、紙葉類３１がローラ２６に当接した場合でも放出口３６方向に向かうように、紙葉類ガイド２３側の切り欠き部２３ａは、放出口３６の近くに形成されているのみである。
【００１７】
ローラ２６はリング２９と噛み合うように、軸３０に２個回転自在に取り付けられており、図示せぬ板バネ等によりリング２９側に付勢力が与えられている。そして回転軸７の回転により、リング２９とローラ２６は、挟持した紙葉類３１を後述する集積部に放出口３６から放出する。また舌片ローラ２４の舌片２８は集積部に放出される紙葉類３１の後端を下方（矢印Ｃ方向）に叩き、更に後述するステージ上に集積された紙葉類３１の後端を抑える。
【００１８】
集積部は紙葉類３１を積載するステージ３２と、紙葉類３１の前後方向の移動を規制する規制部材３３、３４とから構成されている。なお、ステージ３２は矢印Ｃ−Ｄ方向に移動自在に設けられており、紙葉類３１を集積する毎に徐々に矢印Ｃ方向に移動し、紙葉類３１を集積するために必要な空間を作るように構成されている。また規制部材３３には舌片ローラ２４の舌片２８が通過するための切り欠き３３ａ、３３ｂが形成されている。
【００１９】
規制部材３３には、紙葉類３１の放出方向とほぼ垂直な方向に向かって、放出口３６の略中央部を覆うように、弾性部材で形成された紙葉類抑え１７の一端部が固定された状態で取り付けられている。なお、図１、図３に示すように紙葉類抑え１７は中央部の２個の舌片ローラ２４の間に設けられている。また紙葉類３１が放出されない時点では紙葉類抑え１７は図２に示すように規制部材３３に沿った状態となっている。
【００２０】
次に上記構成における紙葉類集積機構２０の動作について説明する。図４、図５は第１の実施の形態の紙葉類集積機構の動作を示す説明図である。
【００２１】
図１、図２、図３において紙葉類３１が紙葉類ガイド２２と、紙葉類ガイド２３とに案内されて舌片ローラ２４と、搬送プーリー２５と、ローラ２６まで搬送されてくるとき、回転軸２７の回転により、舌片ローラ２４と搬送プーリー２５は図２に示す矢印Ｂ方向に回転している。そして紙葉類３１がリング２９とローラ２６とが対向した位置まで搬送されてくると、リング２９とローラ２６は挟持した紙葉類３１を集積部３５に放出する。このとき紙葉類３１は放出口３６の略中央部を覆っている紙葉類抑え１７を図４に示すように放出口３６から離れる方向に撓ませて放出口３６から出る。
【００２２】
そして図５に示すように紙葉類３１の後端が放出口３６から出ると、紙葉類抑え１７は弾性により元の状態に戻ろうとする。そしてこの復元力により紙葉類抑え１７は、放出口３６から放出される紙葉類３１の中央部の後端を矢印Ｃ方向に押圧する。それ故、紙葉類３１は従来例のように撓んだ状態の舌片２８に後端部を押されて直進することなく、矢印Ｃ方向へと落下する。そして紙葉類ガイド２３から先端部が開放される位置に達した舌片２８の先端部が、撓んだ状態から放射状に伸びた時点で、矢印Ｃ方向に落下中の紙葉類３１の後端を更に矢印Ｃ方向に叩く。そしてこの舌片２８はまたステージ３２上に集積された紙葉類３１の後端を抑える。
【００２３】
以上第１の実施の形態においては、弾性部材から成る紙葉類抑え１７を放出口３６の略中央部に設けたので、紙葉類３１の後端が放出口３６から出ると、弾性により元の状態に戻ろうとする紙葉類抑え１７が紙葉類３１の中央部の後端をステージ３２方向に押す。それ故、紙葉類３１はステージ３２方向へと落下し、紙葉類ガイド２３から先端部が開放される位置に達した舌片２８の先端部が、撓んだ状態から放射状に伸びた時点で、ステージ３２方向に落下中の紙葉類３１の後端を確実にステージ３２方向に叩くことができる。そしてその舌片２８はまたステージ３２上に集積された紙葉類３１の後端を確実に抑えることができる。従って、集積部３５に放出される紙葉類３１の後端は次に搬送されてくる紙葉類３１の先端に当接することがない。その結果、紙葉類３１のジャムが発生せず、これにより集積不良が発生してしまうことを防止することができ、信頼性の高い紙葉類集積機構２０とすることができる。
【００２４】
第２の実施の形態
次に第２の実施の形態について説明する。上記第１の実施の形態と同様な箇所には同一符号を付して説明は省略する。図６は第２の実施の形態の紙葉類集積機構の一部を示す正面図である。なお、図６において舌片ローラの舌片は１個の舌片ローラにつき２枚のみ記載し、他の舌片は省略してある。
【００２５】
紙葉類３１の中には両端部が上方向に反った状態で搬送され、放出口３６から集積部３５へと放出されるものがある。この場合、上記第１の実施の形態に示すように放出口３６の略中央部に紙葉類抑え１７を設けただけでは、紙葉類３１の両端部の抑えが不十分である。すなわち、紙葉類３１の中央部だけを下方に抑えただけでは、回転軸２７の両端部に設けられた舌片ローラ２４の舌片２８の先端部が、撓んだ状態から放射状に伸びた時点で、両端部が上方向に反っている紙葉類３１の後端を叩くとことができない場合がある。
【００２６】
そこで、本第２の実施の形態においては、上記第１の実施の形態と同様に、規制部材３３に紙葉類３１の放出方向とほぼ垂直な方向に向かって、放出口３６の略中央部を覆うように、弾性部材で形成された紙葉類抑え３７の一端部が取り付けられていると共に、放出口３６の両端部を覆うように、弾性部材で形成された紙葉類抑え１８、１９の一端部が規制部材３３に取り付けられている。なお、図６に示すように紙葉類抑え１７は中央部の２個の舌片ローラ２４の間に設けられており、また紙葉類抑え１８、１９はそれぞれローラ２６とリング２９とが噛み合っている位置に設けられている。また紙葉類３１が放出されない時点では紙葉類抑え１７、１８、１９は規制部材３３に沿った状態となっている。
【００２７】
次に上記構成における紙葉類集積機構２１の動作について説明する。
【００２８】
紙葉類３１が紙葉類ガイド２２と、紙葉類ガイド２３とに案内されて舌片ローラ２４と、搬送プーリー２５と、ローラ２６まで搬送されてくるとき、回転軸２７の回転により、舌片ローラ２４と搬送プーリー２５は図２に示す矢印Ｂ方向に回転している。そして紙葉類３１がリング２９とローラ２６とが対向した位置まで搬送されてくると、リング２９とローラ２６は挟持した紙葉類３１を集積部３５に放出する。このとき紙葉類３１は放出口３６の略中央部を覆っている紙葉類抑え１７、及び放出口３６の両端部を覆っている紙葉類抑え１８、１９を放出口３６から離れる方向に撓ませて放出口３６から出る。
【００２９】
そして紙葉類３１の後端が放出口３６から出ると、紙葉類抑え１７、１８、１９は弾性により元の状態に戻ろうとする。そしてこの復元力により紙葉類抑え１７は、放出口３６から放出される紙葉類３１の略中央部の後端を図２に示す矢印Ｃ方向に押圧し、また紙葉類３１の両端部が上方向に反っていても、紙葉類抑え１８、１９が紙葉類３１の両端部の後端を図２に示す矢印C方向に押圧し、両端部の上方向への反りを抑える。それ故、紙葉類３１は従来例のように撓んだ状態の舌片２８に後端部を押されて直進することなく、矢印Ｃ方向へと落下する。そして紙葉類ガイド２３から先端部が開放される位置に達した舌片２８の先端部が、撓んだ状態から放射状に伸びた時点で、矢印Ｃ方向に落下中の紙葉類３１の後端を更に矢印Ｃ方向に叩く。そしてこの舌片２８はまたステージ３２上に集積された紙葉類３１の後端を確実に抑える。
【００３０】
以上第２の実施の形態においては、弾性部材から成る紙葉類抑え３７を放出口３６の中央部に設け、同様に弾性部材から成る紙葉類抑え３８と、紙葉類抑え３９を放出口３６の両端部に設けたので、紙葉類３１の両端部が上方向に反っていても、紙葉類３１の後端が放出口３６から出ると、弾性により元の状態に戻ろうとする紙葉類抑え１７が紙葉類３１の中央部の後端をステージ３２方向に押し、同時に紙葉類抑え１８、１９が紙葉類３１の両端部の後端をステージ３２方向に押すので、紙葉類３１の中央部を抑えると共に、両端部の上方向への反りを抑えることができる。それ故、紙葉類３１はステージ３２方向へと落下し、紙葉類ガイド２３から先端部が開放される位置に達した舌片２８の先端部が、撓んだ状態から放射状に伸びた時点で、ステージ３２方向に落下中の紙葉類３１の後端を確実にステージ３２方向に叩くことができる。そしてその舌片２８はまたステージ３２上に集積された紙葉類３１の後端を確実に抑えることができる。従って、集積部３５に放出される紙葉類３１の後端は次に搬送されてくる紙葉類３１の先端に当接することがない。その結果、紙葉類３１のジャムが発生せず、これにより集積不良が発生してしまうことを防止することができ、更に信頼性の高い紙葉類集積機構２１とすることができる。
【００３１】
第３の実施の形態
次に第３の実施の形態について説明する。なお、紙葉類集積機構の構成及び動作は上記第１の実施の形態、及び第２の実施の形態と同様であるので説明は省略する。
【００３２】
図１、図２、図６において、係員が紙葉類３１をステージ３２上から取り出す際に、上記第１の実施の形態、及び第２の実施の形態に示す紙葉類抑え１７、１８、１９に指が当たる場合がある。このように紙葉類抑え１７、１８、１９に係員の指が当たっても負傷をしないように、本第３の実施の形態においては紙葉類抑え１７、１８、１９を塩化ビニールシート等樹脂性の部材で形成することとした。
【００３３】
以上第３の実施の形態においては、紙葉類抑え１７、１８、１９を板バネ等の金属よりもやわらかい塩化ビニールシート等の樹脂性の部材で形成することにより、係員の指に紙葉類抑え１７，１８、１９が当接しても負傷する恐れがない。その結果、安全性の高い紙葉類集積機構とすることができる。
【００３４】
【発明の効果】
以上詳細に説明したように本発明によれば、弾性部材で形成され、一端部側は固定され、他端部側は自由端となった状態で放出口を覆い、該放出口から放出される紙葉類に押圧されて上記他端部側が上記放出口から離れる方向に撓む紙葉類抑えを設けたことにより、紙葉類のジャムが発生せず、これにより集積不良が発生してしまうことを防止することができ、信頼性の高い紙葉類集積機構とすることができる。
【図面の簡単な説明】
【図１】第１の実施の形態の紙葉類集積機構の一部を示す正面図である。
【図２】図１のＥ−Ｅ断面矢視図である。
【図３】第１の実施の形態の紙葉類集積機構の一部を示す正面図である。
【図４】第１の実施の形態の紙葉類集積機構の動作を示す説明図である。
【図５】第１の実施の形態の紙葉類集積機構の動作を示す説明図である。
【図６】第２の実施の形態の紙葉類集積機構の一部を示す正面図である。
【図７】従来例の紙葉類集積機構の一部を示す正面図である。
【図８】図７のＡ−Ａ断面矢視図である。
【図９】従来例の紙葉類集積機構の動作を示す説明図である。
【図１０】従来例の紙葉類集積機構の動作を示す説明図である。
【符号の説明】
１７  紙葉類抑え
１８  紙葉類抑え
１９  紙葉類抑え
２０  紙葉類集積機構
２１  紙葉類集積機構
２４  舌片ローラ
２８  舌片
３６  放出口
【図１】
0004370741.tif 000002
【図２】
0004370741.tif 000003
【図３】
0004370741.tif 000004
【図４】
0004370741.tif 000005
【図５】
0004370741.tif 000006
【図６】
0004370741.tif 000007
【図７】
0004370741.tif 000008
【図８】
0004370741.tif 000009
【図９】
0004370741.tif 000010
【図１０】
0004370741.tif 000011